【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
近隣認識ネットワーク内のステーションのクラスタ間でステーションをマージするための装置であって、
前記ステーションが属するステーションの現クラスタよりも好ましいステーションのクラスタが識別されるときにサーバが前記ステーションに通知することを求める、前記ネットワーク上の前記サーバに対する要求を生成することと、
前記生成された要求を送信のために前記サーバに提供することと、
前記サーバから応答を受信することと、前記応答が、ステーションの前記現クラスタよりも好ましいステーションの前記クラスタを識別するように構成される、
ステーションの前記現クラスタよりも好ましいと前記サーバによって識別されたステーションの前記クラスタと前記ステーションを、ステーションの前記識別されたクラスタがステーションの前記現クラスタよりも前記ステーションにとって好ましいという決定に基づいて、マージすることと
を行うように構成された処理システム
を備える装置。
【請求項２】
前記処理システムが、ステーションの前記現クラスタよりも好ましいと前記サーバによって識別されたステーションの前記クラスタを求めて前記ネットワークをスキャンするようにさらに構成される請求項１に記載の装置。
【請求項３】
前記生成された要求が、前記ステーションの位置、ステーションの前記現クラスタのクラスタ識別、およびステーションの前記現クラスタに関連する１つまたは複数のメトリックのうちの少なくとも１つを備え、ここにおいて、前記生成された要求が、前記ステーションの通信の範囲内のステーションの前記好ましいクラスタの識別を前記サーバに要求するように構成される請求項１に記載の装置。
【請求項４】
ステーションの前記好ましいクラスタが、ステーションの前記好ましいクラスタのクラスタエイジと比較したステーションの前記現クラスタのクラスタエイジ、ステーションの前記好ましいクラスタのクラスタサイズと比較したステーションの前記現クラスタのクラスタサイズ、ステーションの前記好ましいクラスタ内で利用可能なサービス数と比較したステーションの前記現クラスタ内の利用可能なサービス数、およびアンカマスタデバイスのマスタプリファレンスのうちの少なくとも１つに基づいて決定される請求項１に記載の装置。
【請求項５】
近隣認識ネットワーク内のステーションのクラスタ間でステーションがマージするための方法であって、
前記ステーションが属するステーションの現クラスタよりも好ましいステーションのクラスタが識別されるときに前記ステーションに通知することを求める、前記ネットワーク上のサーバに対する要求を生成することと、
前記要求を前記サーバに送信することと、
前記サーバから応答を受信することと、前記応答が、ステーションの前記現クラスタよりも好ましいステーションの前記クラスタを識別する、
ステーションの前記現クラスタよりも好ましいと前記サーバによって識別されたステーションの前記クラスタと前記ステーションを、ステーションの前記識別されたクラスタがステーションの前記現クラスタよりも前記ステーションにとって好ましいという決定に基づいて、マージすることと
を備える方法。
【請求項６】
ステーションの前記現クラスタよりも好ましいと前記サーバによって識別されたステーションの前記クラスタを求めて前記ネットワークをスキャンすることをさらに備える請求項５に記載の方法。
【請求項７】
前記生成された要求が、前記ステーションの位置、ステーションの前記現クラスタのクラスタ識別、およびステーションの前記現クラスタに関連するメトリックのうちの少なくとも１つを備え、ここにおいて、前記生成された要求が、前記ステーションの通信の範囲内のステーションの前記好ましいクラスタの識別を前記サーバに要求するように構成される請求項５に記載の方法。
【請求項８】
ステーションの前記好ましいクラスタが、ステーションの前記好ましいクラスタのクラスタエイジと比較したステーションの前記現クラスタのクラスタエイジ、ステーションの前記好ましいクラスタのクラスタサイズと比較したステーションの前記現クラスタのクラスタサイズ、ステーションの前記好ましいクラスタ内で利用可能なサービス数と比較したステーションの前記現クラスタ内の利用可能なサービス数、およびアンカマスタデバイスのマスタプリファレンスのうちの少なくとも１つに基づいて決定される請求項５に記載の方法。
【請求項９】
第１のステーションが近隣認識ネットワーク内のステーションのクラスタ間でマージすることをサーバが支援するための装置であって、
アクセスポイントによって識別されるステーションの現クラスタよりも好ましいステーションのクラスタの探索を実施することを求める、前記ネットワーク上の前記アクセスポイントからの要求を受信することと、
ステーションの前記現クラスタよりも好ましいステーションの前記クラスタの前記探索を実施することと、
前記アクセスポイントに対する応答を生成することと、前記応答が、ステーションの前記現クラスタよりも好ましいステーションの前記クラスタを識別する、
送信のために前記応答を前記アクセスポイントに提供することと
を行うように構成された処理システム
を備える装置。
【請求項１０】
前記受信された要求が、前記アクセスポイントの位置、ステーションの前記現クラスタのクラスタ識別、およびステーションの前記現クラスタに関連する１つまたは複数のクラスタメトリックのうちの少なくとも１つを備え、ここにおいて、前記受信された要求が、前記アクセスポイントの通信の範囲内のステーションの前記好ましいクラスタの識別を前記サーバに要求するように構成される請求項９に記載の装置。
【請求項１１】
前記アクセスポイントから受信される前記要求が、前記第１のステーションからの情報に基づき、前記アクセスポイントによって識別されるステーションの前記現クラスタが、前記第１のステーションが属するステーションの現クラスタに基づく請求項９に記載の装置。
【請求項１２】
ステーションの前記好ましいクラスタの前記探索が、前記サーバによって記憶されたステーションのクラスタの情報に基づく請求項９に記載の装置。
【請求項１３】
第１のステーションが近隣認識ネットワーク内のステーションのクラスタ間でマージするのを支援するためにサーバによって実施される方法であって、
アクセスポイントによって識別されるステーションの現クラスタよりも好ましいステーションのクラスタの探索を実施することを求める、前記ネットワーク上の前記アクセスポイントからの要求を受信することと、
ステーションの前記現クラスタよりも好ましいステーションの前記クラスタの前記探索を実施することと、
前記アクセスポイントに対する応答を生成することと、前記応答が、ステーションの前記現クラスタよりも好ましいステーションの前記クラスタを識別する、
前記アクセスポイントに前記応答を送信することと
を備える方法。
【請求項１４】
前記受信された要求が、前記アクセスポイントの位置、ステーションの前記現クラスタのクラスタ識別、およびステーションの前記現クラスタに関連するクラスタメトリックのうちの少なくとも１つを備え、ここにおいて、前記受信された要求が、前記アクセスポイントの通信の範囲内のステーションの前記好ましいクラスタの識別を前記サーバに要求するように構成される請求項１３に記載の方法。
【請求項１５】
ステーションの前記好ましいクラスタの前記探索が、前記アクセスポイントによって記憶されたステーションのクラスタの情報に基づく請求項１３に記載の方法。
【手続補正２】
【補正対象書類名】明細書
【補正対象項目名】００７５
【補正方法】変更
【補正の内容】
【００７５】
[0084]上記は、本開示の諸態様を対象とするが、本開示の基本的範囲から逸脱することなく、本開示の他のさらなる態様が考案され得、本開示の範囲は、以下の特許請求の範囲によって決定される。
以下に本願の出願当初の特許請求の範囲に記載された発明を付記する。
［Ｃ１］
近隣認識ネットワーク内のステーションのクラスタ間でステーションをマージするための装置であって、
前記ステーションが属するステーションの現クラスタよりも好ましいステーションのクラスタが識別されるときにサーバが前記ステーションに通知することを求める、前記ネットワーク上の前記サーバに対する要求を生成することと、
前記生成された要求を送信のために前記サーバに提供することと、
前記サーバから応答を受信することと、前記応答が、ステーションの前記現クラスタよりも好ましいステーションの前記クラスタを識別するように構成される
を行うように構成された処理システム
を備える装置。
［Ｃ２］
前記処理システムが、ステーションの前記現クラスタよりも好ましいと前記サーバによって識別されたステーションの前記クラスタを求めて前記ネットワークをスキャンするようにさらに構成されるＣ１に記載の装置。
［Ｃ３］
前記処理システムが、ステーションの前記識別されたクラスタがステーションの前記現クラスタよりも前記ステーションにとって好ましいという決定に基づいて、ステーションの前記現クラスタよりも好ましいと前記サーバによって識別されたステーションの前記クラスタと前記ステーションをマージするようにさらに構成されるＣ１に記載の装置。
［Ｃ４］
前記生成された要求が、前記ステーションの位置、ステーションの前記現クラスタのクラスタ識別、およびステーションの前記現クラスタに関連する１つまたは複数のメトリックのうちの少なくとも１つを備え、ここにおいて、前記生成された要求が、前記ステーションの通信の範囲内のステーションの前記好ましいクラスタの識別を前記サーバに要求するように構成されるＣ１に記載の装置。
［Ｃ５］
前記ステーションの前記位置が、アクセスポイントの識別およびＧＰＳ座標の少なくとも一方を含めることによって提供されるＣ４に記載の装置。
［Ｃ６］
前記アクセスポイントが、ステーションの前記現クラスタに関連するアクセスポイントと、前記ステーションの近傍にあると判明したアクセスポイントの少なくとも一方であるＣ５に記載の装置。
［Ｃ７］
ステーションの前記好ましいクラスタが、ステーションの前記好ましいクラスタのクラスタエイジと比較したステーションの前記現クラスタのクラスタエイジ、ステーションの前記好ましいクラスタのクラスタサイズと比較したステーションの前記現クラスタのクラスタサイズ、ステーションの前記好ましいクラスタ内で利用可能なサービス数と比較したステーションの前記現クラスタ内の利用可能なサービス数、およびアンカマスタデバイスのマスタプリファレンスのうちの少なくとも１つに基づいて決定されるＣ１に記載の装置。
［Ｃ８］
近隣認識ネットワーク内のステーションのクラスタ間でステーションがマージするための方法であって、
前記ステーションが属するステーションの現クラスタよりも好ましいステーションのクラスタが識別されるときに前記ステーションに通知することを求める、前記ネットワーク上のサーバに対する要求を生成することと、
前記要求を前記サーバに送信することと、
前記サーバから応答を受信することと、前記応答が、ステーションの前記現クラスタよりも好ましいステーションの前記クラスタを識別する
を備える方法。
［Ｃ９］
ステーションの前記現クラスタよりも好ましいと前記サーバによって識別されたステーションの前記クラスタを求めて前記ネットワークをスキャンすることをさらに備えるＣ８に記載の方法。
［Ｃ１０］
ステーションの前記識別されたクラスタがステーションの前記現クラスタよりも前記ステーションにとって好ましいという決定に基づいて、ステーションの前記現クラスタよりも好ましいと前記サーバによって識別されたステーションの前記クラスタと前記ステーションをマージすることをさらに備えるＣ８に記載の方法。
［Ｃ１１］
前記生成された要求が、前記ステーションの位置、ステーションの前記現クラスタのクラスタ識別、およびステーションの前記現クラスタに関連するメトリックのうちの少なくとも１つを備え、ここにおいて、前記生成された要求が、前記ステーションの通信の範囲内のステーションの前記好ましいクラスタの識別を前記サーバに要求するように構成されるＣ８に記載の方法。
［Ｃ１２］
前記ステーションの前記位置が、アクセスポイントの識別およびＧＰＳ座標の少なくとも一方を含めることによって提供されるＣ１１に記載の方法。
［Ｃ１３］
前記アクセスポイントが、ステーションの前記現クラスタに関連するアクセスポイントと、前記ステーションの近傍にあると判明したアクセスポイントの少なくとも一方であるＣ１２に記載の方法。
［Ｃ１４］
ステーションの前記好ましいクラスタが、ステーションの前記好ましいクラスタのクラスタエイジと比較したステーションの前記現クラスタのクラスタエイジ、ステーションの前記好ましいクラスタのクラスタサイズと比較したステーションの前記現クラスタのクラスタサイズ、ステーションの前記好ましいクラスタ内で利用可能なサービス数と比較したステーションの前記現クラスタ内の利用可能なサービス数、およびアンカマスタデバイスのマスタプリファレンスのうちの少なくとも１つに基づいて決定されるＣ８に記載の方法。
［Ｃ１５］
第１のステーションが近隣認識ネットワーク内のステーションのクラスタ間でマージすることをサーバが支援するための装置であって、
アクセスポイントによって識別されるステーションの現クラスタよりも好ましいステーションのクラスタの探索を実施することを求める、前記ネットワーク上の前記アクセスポイントからの要求を受信し、
ステーションの前記現クラスタよりも好ましいステーションの前記クラスタの前記探索を実施し、
前記アクセスポイントに対する応答を生成し、前記応答が、ステーションの前記現クラスタよりも好ましいステーションの前記クラスタを識別し、
送信のために前記応答を前記アクセスポイントに提供する
ように構成された処理システム
を備える装置。
［Ｃ１６］
前記受信された要求が、前記アクセスポイントの位置、ステーションの前記現クラスタのクラスタ識別、およびステーションの前記現クラスタに関連する１つまたは複数のクラスタメトリックのうちの少なくとも１つを備え、ここにおいて、前記受信された要求が、前記アクセスポイントの通信の範囲内のステーションの前記好ましいクラスタの識別を前記サーバに要求するように構成されるＣ１５に記載の装置。
［Ｃ１７］
前記アクセスポイントが、ステーションの前記現クラスタに関連するアクセスポイントと、前記ステーションの近傍にあると判明したアクセスポイントの少なくとも一方であるＣ１６に記載の装置。
［Ｃ１８］
ステーションの前記現クラスタよりも好ましいステーションの前記クラスタを識別する前記応答が、ステーションの前記好ましいクラスタの位置、ステーションの前記好ましいクラスタのクラスタ識別、ステーションの前記好ましいクラスタの発見ウィンドウスケジュール、およびステーションの前記好ましいクラスタの動作チャネル番号のうちの少なくとも１つを備えるＣ１５に記載の装置。
［Ｃ１９］
前記アクセスポイントから受信される前記要求が、前記第１のステーションからの情報に基づき、前記アクセスポイントによって識別されるステーションの前記現クラスタが、前記第１のステーションが属するステーションの現クラスタに基づくＣ１５に記載の装置。
［Ｃ２０］
ステーションの前記好ましいクラスタの前記探索が、前記サーバによって記憶されたステーションのクラスタの情報に基づくＣ１５に記載の装置。
［Ｃ２１］
ステーションの前記好ましいクラスタの前記探索が、
前記ネットワーク上の少なくとも１つの第２のステーションに少なくとも１つの照会を送ることと、
前記少なくとも１つの第２のステーションから少なくとも１つの照会応答を受信することと
をさらに備えるＣ１５に記載の装置。
［Ｃ２２］
前記照会が、前記アクセスポイントの位置、ステーションの前記現クラスタのクラスタ識別、およびステーションの前記現クラスタに関連する１つまたは複数のクラスタメトリックのうちの少なくとも１つを含み、前記少なくとも１つの第２のステーションから受信される前記少なくとも１つの照会応答が、ステーションの前記好ましいクラスタの位置、ステーションの前記好ましいクラスタのクラスタ識別、ステーションの前記好ましいクラスタの発見ウィンドウスケジュール、およびステーションの前記好ましいクラスタの動作チャネル番号のうちの少なくとも１つを備えるＣ２１に記載の装置。
［Ｃ２３］
第１のステーションが近隣認識ネットワーク内のステーションのクラスタ間でマージするのを支援するためにサーバによって実施される方法であって、
アクセスポイントによって識別されるステーションの現クラスタよりも好ましいステーションのクラスタの探索を実施することを求める、前記ネットワーク上の前記アクセスポイントからの要求を受信することと、
ステーションの前記現クラスタよりも好ましいステーションの前記クラスタの前記探索を実施することと、
前記アクセスポイントに対する応答を生成することと、前記応答が、ステーションの前記現クラスタよりも好ましいステーションの前記クラスタを識別する、
前記アクセスポイントに前記応答を送信することと
を備える方法。
［Ｃ２４］
前記受信された要求が、前記アクセスポイントの位置、ステーションの前記現クラスタのクラスタ識別、およびステーションの前記現クラスタに関連するクラスタメトリックのうちの少なくとも１つを備え、ここにおいて、前記受信された要求が、前記アクセスポイントの通信の範囲内のステーションの前記好ましいクラスタの識別を前記サーバに要求するように構成されるＣ２３に記載の方法。
［Ｃ２５］
前記アクセスポイントが、ステーションの前記現クラスタに関連するアクセスポイントと、前記ステーションの近傍にあると判明したアクセスポイントの少なくとも一方であるＣ２４に記載の方法。
［Ｃ２６］
ステーションの前記現クラスタよりも好ましいステーションの前記クラスタを識別する前記応答が、ステーションの前記好ましいクラスタの位置、ステーションの前記好ましいクラスタのクラスタ識別、ステーションの前記好ましいクラスタの発見ウィンドウスケジュール、およびステーションの前記好ましいクラスタの動作チャネル番号のうちの少なくとも１つを備えるＣ２３に記載の方法。
［Ｃ２７］
前記アクセスポイントから受信される前記要求が、前記第１のステーションからの情報に基づき、前記アクセスポイントによって識別されるステーションの前記現クラスタが、前記第１のステーションが属するステーションの現クラスタに基づくＣ２３に記載の方法。
［Ｃ２８］
ステーションの前記好ましいクラスタの前記探索が、前記アクセスポイントによって記憶されたステーションのクラスタの情報に基づくＣ２３に記載の方法。
［Ｃ２９］
ステーションの前記好ましいクラスタの前記探索が、
前記ネットワーク上の少なくとも１つの第２のステーションに少なくとも１つの照会を送ることと、
前記少なくとも１つの第２のステーションから少なくとも１つの照会応答を受信することと
をさらに備えるＣ２３に記載の方法。
［Ｃ３０］
前記照会が、前記アクセスポイントの位置、ステーションの前記現クラスタのクラスタ識別、およびステーションの前記現クラスタに関連するクラスタメトリックのうちの少なくとも１つを含み、前記少なくとも１つの第２のステーションから受信される前記少なくとも１つの照会応答が、ステーションの前記好ましいクラスタの位置、ステーションの前記好ましいクラスタのクラスタ識別、ステーションの前記好ましいクラスタの発見ウィンドウスケジュール、およびステーションの前記好ましいクラスタの動作チャネル番号のうちの少なくとも１つを備えるＣ２９に記載の方法。